(57)【要約】【課題】容易にフィルターを着脱することができるレンジフードを提供することを目的とする。【解決手段】調理器の上方に、箱体の本体１と、本体１の内部にファンケーシング２とファンケーシング２の内部に設けた遠心ファン３と、ファンケーシング２の天板に遠心ファン３を回転させるモーター４を設け、本体１の下方に設けた吸込口５とファンケーシング２との間にフィルター６を設け、本体１にフィルター６を保持する可動固定部７を設けたという構成にしたことにより、フィルター６を本体に取り付けるときは上方向に押し込み、取り外すときは下方向に引くので、容易にフィルター６を着脱することができるレンジフードを得られる。【選択図】図１
2015187536.tif 000002
【特許請求の範囲】
【請求項１】
調理器の上方に、箱体の本体と、前記本体の内部にファンケーシングと前記ファンケーシングの内部に設けた遠心ファンと、前記ファンケーシングの天板に遠心ファンを回転させるモーターを設け、前記本体の下方に設けた吸込口と前記ファンケーシングとの間にフィルターを設け、前記本体に前記フィルターを保持する可動固定部を設けたことを特徴とするレンジフード。
【請求項２】
可動固定部は前記フィルター側に凸部を設け、フィルターの接触する部分に傾斜を設けたことを特徴とする請求項１に記載のレンジフード。
【請求項３】
傾斜を凸形状の曲面で形成したことを特徴とする請求項２に記載のレンジフード。
【請求項４】
凸部の角部に丸みを設けたことを特徴とする請求項２に記載のレンジフード。
【請求項５】
可動固定部の弾性変形範囲内にストッパーを設けたことを特徴とする請求項２に記載のレンジフード。
【発明の詳細な説明】
【技術分野】
【０００１】
本発明は、調理機器の上方に設置され、調理時に発生する油煙を捕集して屋外に排気するレンジフードに関するものである。
【背景技術】
【０００２】
従来、着脱可能なフィルターが備えられたレンジフードで、フィルターの奥側にフィルター固定ばねを有し、フィルターを奥側へ押してバネを変形させることで着脱を可能にするものが知られている（例えば、特許文献１参照）。
【０００３】
以下、そのレンジフードについて図５を参照しながら説明する。
【０００４】
図５に示すレンジフードは、下面に吸込口１０１と上面に排気口１０２とを有するフード１０３と、フード１０３の内部に設けたファンユニット１０４とから構成され、ファンユニット１０４と吸込口１０１との間にフィルター１０５を設け、フィルター１０５を保持する方法としては、一般的にフィルター１０５の奥側にフィルター固定ばねを有し、フィルター１０５を調理者から見て奥側へ押して前記フィルター固定ばねを変形させて着脱を行うものが知られている。
【先行技術文献】
【特許文献】
【０００５】
【特許文献１】特開２０１２−００２４３９号公報
【発明の概要】
【発明が解決しようとする課題】
【０００６】
このような従来のレンジフードにおいては、フィルターを着脱する場合、フィルターを一旦奥側に押し込んでからフィルターの前方を上下方向に押したり引いたりして着脱していたので、２段階の動作が必要となり、フィルターの着脱方法がわかりにくい、という課題を有していた。
【０００７】
そこで本発明は、上記従来の課題を解決するものであり、容易にフィルターを着脱することができるレンジフードを提供することを目的とする。
【課題を解決するための手段】
【０００８】
そして、この目的を達成するために、本発明は、調理器の上方に、箱体の本体と、前記本体の内部にファンケーシングと前記ファンケーシングの内部に設けた遠心ファンと、前記ファンケーシングの天板に遠心ファンを回転させるモーターを設け、前記本体の下方に設けた吸込口と前記ファンケーシングとの間にフィルターを設け、前記本体に前記フィルターを保持する可動固定部を設けたものであり、これにより所期の目的を達成するものである。
【発明の効果】
【０００９】
本発明によれば、調理器の上方に、箱体の本体と、前記本体の内部にファンケーシングと前記ファンケーシングの内部に設けた遠心ファンと、前記ファンケーシングの天板に遠心ファンを回転させるモーターを設け、前記本体の下方に設けた吸込口と前記ファンケーシングとの間にフィルターを設け、前記本体に前記フィルターを保持する可動固定部を設けた、という構成にしたことにより、フィルターを本体に取り付けるときは上方向に押し込み、取り外すときは下方向に引くこととなるので、容易にフィルターを着脱することができる、という効果を得ることができる。
【図面の簡単な説明】
【００１０】
【図１】本発明の実施の形態１のレンジフードを示す側方構成図
【図２】同レンジフードの可動固定部を示す図（ａ）可動固定部を示す斜視図、（ｂ）側面図
【図３】本発明の実施の形態２のレンジフードのストッパーを示す斜視図
【図４】同レンジフードの固定ネジを示す斜視図
【図５】従来のレンジフードを示す側方構成図
【発明を実施するための形態】
【００１１】
本発明の請求項１記載のレンジフードは、調理器の上方に、箱体の本体と、前記本体の内部にファンケーシングと前記ファンケーシングの内部に設けた遠心ファンと、前記ファンケーシングの天板に遠心ファンを回転させるモーターを設け、前記本体の下方に設けた吸込口と前記ファンケーシングとの間にフィルターを設け、前記本体に前記フィルターを保持する可動固定部を設けた、という構成を有する。これにより、フィルターを本体に取り付けるときは上方向に押し込み、取り外すときは下方向に引くこととなるので、容易にフィルターを着脱することができる、という効果を奏する。
【００１２】
また、可動固定部は前記フィルター側に凸部を設け、フィルターの接触する部分に傾斜を設けた、という構成にしてもよい。これにより、フィルターを本体に取り付けるときはフィルターを上方向に押し込むことでフィルターが可動固定部の傾斜に接触して可動固定部がフィルターに押されて変形し、フィルターが可動固定部の凸部を乗り越えてファンケーシング側に移動し、可動固定部は弾性により元の形状に戻り、フィルターが可動固定部の凸部に引っ掛かることでフィルターが保持され、また、フィルターを本体から取り外すときも同様に、フィルターが可動固定部の傾斜に接触し、下方へフィルターを引っ張ることで可動固定部がフィルターに押されて変形し、フィルターを取り外すこととなるので、より容易にフィルターを着脱することができる、という効果を奏する。
【００１３】
また、傾斜を凸形状の曲面で形成した、という構成にしてもよい。これにより、フィルターが可動固定部の曲面に接触して曲面上を滑らかに摺動することとなるので、着脱する際の引っかかりが無く、より容易にフィルターを着脱することができる、という効果を奏する。
【００１４】
また、凸部の角部に丸みを設けた、という構成にしてもよい。これにより、フィルターが可動固定部の丸みの形状に接触して丸みの形状の上を滑らかに摺動することとなるので、フィルターの傷つきを防ぐことができるとともに容易にフィルターを着脱することができる、という効果を奏する。
【００１５】
また、可動固定部の弾性変形範囲内にストッパーを設けた、という構成にしてもよい。
【００１６】
これにより、お手入れ時等で可動固定部が使用者によって押し込まれた場合、弾性変形する範囲内にストッパーを設けることで可動固定部はストッパーに当たって止まるので弾性変形範囲内のみでの変形となり、また、使用者が可動固定部の押圧を開放することで可動固定部は元の形状に戻ることとなるので、フィルターの保持力を保つことができる、という効果を奏する。
【００１７】
以下、本発明の実施の形態について図面を参照しながら説明する。
【００１８】
（実施の形態１）
図１に示すように、調理器（図示せず）の上方に、箱体の本体１と、本体１の内部にファンケーシング２とファンケーシング２の内部に設けたシロッコファンである遠心ファン３と、ファンケーシング２の天板９に遠心ファン３を回転させるモーター４（例えばコストの安いＡＣ方式のモーター）を設け、本体１の下方に整流板１０を設けてその周囲に設けた吸込口５と、そして、吸込口５とファンケーシング２との間にフィルター６を設け、本体１の調理者から見て手前側に、フィルター６を保持する可動固定部７を設ける。
【００１９】
なお、例としてフィルター６は外形が方形状であり、一枚の板金で形成されたパンチングフィルターにて構成する。
【００２０】
そして、図１および図２に示すように、可動固定部７は、フィルター６の方向に向かって凸形状を成した凸部１１を設け、フィルター６の本体１への取り付け時、または、取り外し時にフィルター６が接触する部分に２箇所の傾斜８を設ける。
【００２１】
なお、可動固定部７は弾性力のある板金で構成され、押されても元の形状に戻る性質を有している。
【００２２】
これにより、フィルター６を本体１に取り付けるときはフィルター６を上方向に押し込むことでフィルター６が可動固定部７の傾斜８に接触して可動固定部７がフィルター６に押され調理者から見て手前側に変形し、フィルター６が可動固定部７の凸部１１を乗り越え、フィルター６が可動固定部７よりもファンケーシング２側に移動し、可動固定部７は弾性力により元の形状に戻り、フィルター６は可動固定部７の凸部１１に引っ掛かることにより保持される。
【００２３】
また、フィルター６を本体１から取り外すときも同様に、フィルター６が可動固定部７の傾斜８に接触し、下方へフィルター６を引っ張ることで可動固定部７がフィルター６に押されて変形し、下方へフィルター６を取り外すこととなるので、フィルター６を上下に押し引きする動作のみで容易にフィルター６を着脱することができる。
【００２４】
また、図２に示すように、可動固定部７の傾斜８はフィルター６側に滑らかな凸形状で形成された曲面１２を設ける。
【００２５】
これにより、フィルター６が可動固定部７の曲面１２に接触し、曲面１２上を滑らかに摺動することとなるので、フィルター６を本体１から取り外す際の引っかかりが無く、すなわちフィルター６と凸部１１との引っかかりが無く、より容易にフィルター６を取り外すことができる。
【００２６】
また、凸部１１の角部には全体に丸みを設ける。
【００２７】
これにより、フィルター６が可動固定部７の丸みの形状に接触して丸みの形状の上をより滑らかに摺動するので、フィルター６の傷つきを防ぐことができるとともに容易にフィルター６を着脱することができる。
【００２８】
なお、本実施の形態１おいてフィルター６は外形を方形状としたが、多角形や円形などどのような形状でも良い。
【００２９】
また、パンチングフィルターではなく、穴の開いた板を重ねるバッフルフィルターでも良い。
【００３０】
また、本実施の形態１おいて可動固定部７は図では１個で構成したが、複数個使用しても良い。
【００３１】
また、フィルター６の本体１への取り付け位置は本実施の形態１では調理者側から見て手前側としたが、奥側、左右側のどこに設置しても良い。
【００３２】
また、可動固定部７の材質についても板金だけではなく樹脂などの弾性力のある材質で形成しても良い。
【００３３】
（実施の形態２）
本実施の形態２のレンジフードは、図３に示すように、上記実施の形態１のレンジフードに対し、可動固定部７の弾性変形範囲１５内にストッパー１３を設けた構成にした点が相違する。
【００３４】
上記構成において、お手入れ時等で可動固定部７が使用者によって押し込まれた場合、弾性変形する弾性変形範囲１５内にストッパー１３を設けることで可動固定部７はストッパー１３に当たって止まるので弾性変形範囲１５内のみでの変形となり、また、使用者が可動固定部７の押圧を開放することで可動固定部７は元の形状に戻ることとなるので、フィルター６の保持力を保つことができる。
【００３５】
なお、図４に示すように可動固定部７を固定する固定ネジ１４にストッパー１３の機能を持たせても良い。そのような構成により部品点数を削減することができるとともに、より低コストなレンジフードを提供することができる。
【００３６】
また、ストッパー１３は可動固定部７と一体構造としても良い。
【００３７】
そのような構成にすることで部品点数を削減することができ、より低コストなレンジフードを提供することができる。
【産業上の利用可能性】
【００３８】
本発明にかかるレンジフードは、容易にフィルターを着脱することができることを可能とするものであるので、清掃性の良いレンジフードとして有用である。
【符号の説明】
【００３９】
１    本体
２    ファンケーシング
３    遠心ファン
４    モーター
５    吸込口
６    フィルター
７    可動固定部
８    傾斜
９    天板
１０  整流板
１１  凸部
１２  曲面
１３  ストッパー
１４  固定ネジ
１５  弾性変形範囲
【図１】
2015187536.tif 000003
【図２】
2015187536.tif 000004
【図３】
2015187536.tif 000005
【図４】
2015187536.tif 000006
【図５】
2015187536.tif 000007